(57)【特許請求の範囲】
【請求項１】
照明光を照射する光源ユニットと、
前記光源ユニットを所定方向に沿って駆動する駆動手段と、
前記光源ユニットと前記駆動手段とを物理的に係合させる係合手段と、を備え、
前記駆動手段は、回転力を発生するモータと、所定方向に延在しており前記モータで発生した回転力を前記所定方向への直線運動に変換するネジ部と、を含み、
前記係合手段は、前記ネジ部の前記直線運動を前記光源ユニットに伝達する加圧バネを含み、
前記加圧バネは、略Ｕ字形に折り曲げられた第１辺部と第２辺部とを備え、且つ、前記第１辺部は弾性変形した状態で前記ネジ部と物理的に係合し、前記第２辺部は、その両端部が前記光源ユニットに固定されていることを特徴とする照明装置。
【請求項２】
請求項１に記載の照明装置において、
前記加圧バネは、前記第１辺部の中間の位置から前記第２辺部と連結する位置までの間において前記ネジ部と係合することを特徴とする照明装置。
【請求項３】
請求項１又は２に記載の照明装置において、
前記ネジ部と略平行に配置された複数のガイドバーを備え、
前記光源ユニットは、前記複数のガイドバーに沿って移動自在に係合することを特徴とする照明装置。
【請求項４】
請求項１〜３のいずれか一項に記載の照明装置において、
前記光源ユニットは、前記加圧バネを収納する溝部を備え、
前記加圧バネは、前記溝部の側壁との間に所定間隔が形成されるように収納されることを特徴とする照明装置。
【請求項５】
請求項１〜４のいずれか一項に記載の照明装置において、
前記加圧バネは、前記ネジ部に形成されたネジ山の斜面に当接することを特徴とする照明装置。
【発明の詳細な説明】
【技術分野】
【０００１】
本発明は、照明装置に関するものである。
【背景技術】
【０００２】
従来、撮影レンズの焦点距離に応じて照明光の照射角を自動的に変更することができる照明装置が知られている。この種の照明装置は、光源ユニットを照明光の照射方向に沿って移動させるズーム機構を備えている（例えば、特許文献１参照）。
【先行技術文献】
【特許文献】
【０００３】
【特許文献１】特開２００９−２０２９８号公報
【発明の概要】
【発明が解決しようとする課題】
【０００４】
上記照明装置においては、撮影レンズの焦点距離と照明光の照射角とを対応させるため、光源ユニットの位置決めを正確に行う必要がある。
【０００５】
本発明の課題は、光源ユニットの位置決めを正確に行うことができる照明装置を提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、照明光を照射する光源ユニット（１０）と、前記光源ユニットを所定方向に沿って駆動する駆動手段と、前記光源ユニットと前記駆動手段とを物理的に係合させる係合手段と、を備え、前記駆動手段は、回転力を発生するモータ（２１）と、所定方向に延在しており前記モータで発生した回転力を前記所定方向への直線運動に変換するネジ部（２２）と、含み、前記係合手段は、前記ネジ部の前記直線運動を前記光源ユニットに伝達する加圧バネ（２４）を含み、前記加圧バネは、略Ｕ字形に折り曲げられた第１辺部（２４ａ）と第２辺部（２４ｂ）とを備え、且つ、前記第１辺部は弾性変形した状態で前記ネジ部と物理的に係合し、前記第２辺部は、その両端部が前記光源ユニットに固定されていることを特徴とする照明装置（１）である。
請求項２に記載の発明は、請求項１に記載の照明装置（１）において、前記加圧バネ（２４）は、前記第１辺部（２４ａ）の中間の位置から前記第２辺部（２４ｂ）と連結する位置までの間において前記ネジ部（２４）と係合することを特徴とする。
請求項３に記載の発明は、請求項１又は２に記載の照明装置（１）において、前記ネジ部（２４）と略平行に配置された複数のガイドバー（２３ａ，２３ｂ）を備え、前記光源ユニット（１０）は、前記複数のガイドバーに沿って移動自在に係合することを特徴とする。
請求項４に記載の発明は、請求項１〜３のいずれか一項に記載の照明装置（１）において、前記光源ユニット（１０）は、前記加圧バネ（２４）を収納する溝部（１３ｄ）を備え、前記加圧バネは、前記溝部の側壁との間に所定間隔が形成されるように収納されることを特徴とする。
請求項５に記載の発明は、請求項１〜４のいずれか一項に記載の照明装置（１０）において、前記加圧バネ（２４）は、前記ネジ部（２２）に形成されたネジ山の斜面（２２ａ）に当接することを特徴とする。
なお、符号を付して説明した構成は、適宜改良してもよく、また、少なくとも一部を他の構成物に代替してもよい。
【発明の効果】
【０００７】
本発明によれば、光源ユニットの位置決めを正確に行うことができる照明装置を提供することができる。
【図面の簡単な説明】
【０００８】
【図１】実施形態に係る照明装置１の概略断面図である。
【図２】光源ユニット１０及びズーム機構部２０の斜視図である。
【図３】加圧バネ２４の外観図である。
【図４】加圧バネ２４を収納した反射傘ホルダ１３の部分断面図である。
【図５】加圧バネ２４とネジ部２２とが係合する部分の位置関係を示す模式図である。
【図６】加圧バネ２４とネジ部２２とが当接する状態を示す模式図である。
【図７】加圧バネ２４を収納した収納溝１３ｄの平面図である。
【図８】（ａ）、（ｂ）は比較例１における加圧バネ２４Ａとネジ部２２との位置関係を示す模式図である。
【図９】比較例２における加圧バネ２４Ｂとネジ部２２との位置関係を示す模式図である。
【図１０】実施形態における加圧バネ２４とネジ部２２との位置関係を示す模式図である。
【発明を実施するための形態】
【０００９】
以下、図面を参照して、本発明に係わる照明装置の実施形態について説明する。なお、以下に示す各図には、説明と理解とを容易にするために、適宜にＸＹＺの直交座標系を設けた。この座標系では、撮影者が、照明装置を装着したカメラ（不図示）の光軸を水平として横長の画像を撮影する場合のカメラ位置（以下、正位置という）において撮影者から見て左側に向かう方向をＸプラス方向とする。また、正位置において上側に向かう方向をＹプラス方向とする。更に、正位置において被写体に向かう方向をＺ方向とする。
【００１０】
図１は、本実施形態に係る照明装置１の概略断面図である。図２は、光源ユニット１０及びズーム機構部２０の斜視図である。
【００１１】
照明装置１は、図１に示すように、ヘッド部２と、本体部３と、を備える。ヘッド部２は、光源となるキセノン管（後述）を備えた発光部である。本体部３は、ヘッド部２における照明光の照射を制御する発光制御部である。
【００１２】
ヘッド部２は、前カバー５と、メインコンデンサ６と、光源ユニット１０と、ズーム機構部２０と、を備える。なお、図１では、光源ユニット１０及びズーム機構部２０の構成を概略的に示している。
【００１３】
前カバー５は、キセノン管１１（後述）から照射された照明光を所定の照射範囲に拡散させるための光学部材である。前カバー５は、同心円状のフレネル溝（不図示）を備えたフレネルレンズにより構成される。
【００１４】
メインコンデンサ６は、キセノン管１１に供給する電荷を蓄積するための電気部品である。メインコンデンサ６は、昇圧回路（不図示）と共にキセノン管１１に接続されている。
【００１５】
光源ユニット１０は、被写体（不図示）に向けて照明光を照射する部位である。光源ユニット１０は、キセノン管１１と、反射傘１２と、反射傘ホルダ１３と、を備える。キセノン管１１は、メインコンデンサ６に蓄えられた電荷により照明光を発する光源である。反射傘１２は、キセノン管１１から照射された照明光の一部を照射方向（Ｚ方向）に向けて反射する反射部材である。反射傘１２は、断面が略Ｕ字形に形成されている。反射傘ホルダ１３は、キセノン管１１と、反射傘１２と、を保持する保持部材である。反射傘ホルダ１３の構成については後述する。
【００１６】
ズーム機構部２０は、光源ユニット１０を照明光の照射方向（Ｚ方向）に沿って移動させる移動機構である。光源ユニット１０を照射方向に沿って移動することにより、前カバー５とキセノン管１１との距離が変化する。前カバー５とキセノン管１１との距離が近くなると、照明光の照射角は広くなり、照明光の到達距離は短くなる。前カバー５とキセノン管１１との距離が離れると、照明光の照射角は狭くなり、照明光の到達距離は長くなる。
【００１７】
ズーム機構部２０は、図２に示すように、モータ２１と、ネジ部２２と、ガイドバー２３ａ，２３ｂと、加圧バネ２４と、を備える。
【００１８】
モータ２１は、光源ユニット１０を移動させるための駆動力（回転力）を発生する駆動源である。モータ２１は、ヘッド部２の内部に固定されている。ネジ部２２は、モータ２１の回転軸（不図示）と直結され、Ｚ方向に延在している。ネジ部２２の表面には、雄ネジが形成されている。雄ネジには、加圧バネ２４の第１辺部２４ａ（後述）が係合する。ネジ部２２が回転すると、雄ネジの山が螺旋状に回転する。このため、ネジ部２２と係合する加圧バネ２４（及び光源ユニット１０）は、ネジ部２２の回転と共にＺ方向に移動する。すなわち、ネジ部２２は、モータ２１で発生した回転力を、Ｚ方向への直線運動に変換する部材として機能する。モータ２１及びネジ部２２は、光源ユニット１０をＺ方向に沿って駆動する駆動手段を構成する。
【００１９】
ガイドバー２３ａ，２３ｂは、図２に示すように、ネジ部２２と略平行に配置された支持部材である。ガイドバー２３ａ，２３ｂは、Ｚ方向に延在している。ガイドバー２３ａ，２３ｂは、ヘッド部２の内部に固定されている。
【００２０】
光源ユニット１０の反射傘ホルダ１３には、図２に示すように、係合孔１３ａ，１３ｂが形成されている。係合孔１３ａ，１３ｂは、ガイドバー２３ａ，２３ｂと係合可能な径を有する貫通孔である。ガイドバー２３ａ，２３ｂは、反射傘ホルダ１３の係合孔１３ａ，１３ｂと係合している。光源ユニット１０は、ガイドバー２３ａ，２３ｂの延在するＺ方向に沿って移動自在となるように支持されている。
【００２１】
加圧バネ２４は、光源ユニット１０と、モータ２１及びネジ部２２と、を物理的に係合させる係合手段である。加圧バネ２４は、ネジ部２２のネジ山と一箇所において係合している。図２に示すように、光源ユニット１０の反射傘ホルダ１３には、Ｕ字溝１３ｃと、収納溝１３ｄとが形成されている。Ｕ字溝１３ｃは、ネジ部２２が貫通する溝である。収納溝１３ｄは、加圧バネ２４を収納する溝である。収納溝１３ｄは、平面視において、Ｕ字溝１３ｃを貫通するネジ部２２に対して斜め方向に形成されている。
【００２２】
また、加圧バネ２４の両端部は、ビス２５ａ及び２５ｂにより固定されている。ビス２５ａ及び２５ｂは、反射傘ホルダ１３に形成されたネジ穴（不図示）にネジ止めされている。ビス２５ａ及び２５ｂは、収納溝１３ｄに収納された加圧バネ２４のＹ方向への移動を規制している。加圧バネ２４の構成、及び加圧バネ２４とネジ部２２との係合については後述する。
【００２３】
本体部３は、昇圧回路、操作部、電源回路、及び制御部（いずれも不図示）を備える。また、本体部３は、図１に示すように、取り付け脚４を備える。照明装置１は、本体部３の取り付け脚４によりカメラ本体（不図示）のアクセサリシューに装着することができる。照明装置１をカメラ本体のアクセサリシューに装着すると、取り付け脚４の電極端子（不図示）とアクセサリシューの電極端子（不図示）とが接触して電気的に導通する。これにより、カメラ本体と照明装置１との間で各種信号やデータの送受信が可能となる。
【００２４】
本体部３の制御部は、カメラ本体からシャッタレリーズに同期した発光信号を受信すると、メインコンデンサ６に蓄積された電荷をキセノン管１１に供給して、キセノン管１１を発光させる。また、本体部３の制御部は、カメラ本体から受信したズーム駆動信号に基づいて、モータ２１の回転方向と回転量とを制御して、ネジ部２２と係合する光源ユニット１０をＺ方向に移動させる。
【００２５】
ズーム駆動信号は、撮影レンズ（不図示）の焦点距離に応じてカメラ本体から送信される信号（焦点距離情報）である。本体部３の制御部は、受信したズーム駆動信号に応じて、照明光の照射角を設定する。更に、制御部は、設定した照射角に対応する光源ユニット１０の移動位置を設定し、その移動位置までの移動量に応じたパルス信号をモータ２１に供給する。
【００２６】
本体部３の制御部は、撮影レンズの焦点距離が短くなると、前カバー５とキセノン管１１との距離が近くなるように光源ユニット１０をＺ方向に沿って前方（被写体側）に移動させ、照明光の照射角を広くする。また、本体部３の制御部は、撮影レンズの焦点距離が長くなると、前カバー５とキセノン管１１との距離が離れるように光源ユニット１０をＺ方向に沿って後方（反被写体側）に移動させ、照明光の照射角を狭くする。照射角の設定は、例えば、撮影レンズの焦点距離２４ｍｍ〜１０５ｍｍの範囲で段階的に設定されていてもよいし、無段階に設定されていてもよい。
【００２７】
次に、本実施形態における加圧バネ２４の構成について説明する。図３は、加圧バネ２４の外観図である。図４は、加圧バネ２４を収納した反射傘ホルダ１３の部分断面図である。図５は、加圧バネ２４とネジ部２２とが係合する部分の位置関係を示す模式図である。図６は、加圧バネ２４とネジ部２２とが当接する状態を示す模式図である。図７は、加圧バネ２４を収納した収納溝１３ｄの平面図である。
【００２８】
なお、図４は、ネジ部２２の軸方向と略直交する断面を示している。また、図４では、加圧バネ２４と反射傘ホルダ１３を除く構成を省略している。また、図６では、断面模様の図示を省略している。
【００２９】
加圧バネ２４は、図３に示すように、略Ｕ字形に折り曲げられた成形部品である。加圧バネ２４は、断面が略円形の金属部材により構成されている。加圧バネ２４は、第１辺部２４ａと、第２辺部２４ｂと、第３辺部２４ｃと、曲がり部２４ｄと、を備える。第１辺部２４ａは、弾性変形した状態でネジ部２２と物理的に係合する部位である。第２辺部２４ｂは、その両端部がビス２５ａ及び２５ｂ（図２参照）により固定される部位である。第３辺部２４ｃは、加圧バネ２４を反射傘ホルダ１３に位置決めするための部位である。曲がり部２４ｄは、第１辺部２４ａと第２辺部２４ｂとを連結する部位である。
【００３０】
反射傘ホルダ１３の収納溝１３ｄには、図４に示すように、差込孔１３ｅが形成されている。加圧バネ２４は、反射傘ホルダ１３の収納溝１３ｄに収納されたときに、第３辺部２４ｃが差込孔１３ｅに挿入される。これにより、加圧バネ２４は、反射傘ホルダ１３に位置決めされる。
【００３１】
また、加圧バネ２４は、反射傘ホルダ１３の収納溝１３ｄに収納され、両端部がビス２５ａ及び２５ｂで固定されると、第１辺部２４ａが弾性変形した状態でネジ部２２と係合する。これにより、加圧バネ２４は、ネジ部２２に適正な付勢力を掛けた状態で固定される。なお、加圧バネ２４は、ネジ部２２に形成されたネジ山の傾斜角と略一致するように、平面視において、ネジ部２２に対して斜めに係合する。
【００３２】
また、加圧バネ２４は、図５に示すように、第１辺部２４ａの中間の位置Ｐ１から第２辺部２４ｂと連結する曲がり部２４ｄの位置Ｐ２までの間においてネジ部２２と係合する。本実施形態において、加圧バネ２４は、第１辺部２４ａの中間の位置Ｐ１でネジ部２２と係合している。
【００３３】
また、加圧バネ２４は、図６に示すように、ネジ部２２に形成されたネジ山の斜面２２ａに当接している。加圧バネ２４がネジ山の斜面２２ａと当接せずに、ネジ山の谷部２２ｂと当接していると、ネジ部２２を回転させたときに、加圧バネ２４にガタツキが発生してしまう。しかしながら、加圧バネ２４をネジ山の斜面２２ａと当接させることにより、ネジ部２２を回転させたときに、加圧バネ２４にガタツキが発生するのを抑えることができる。
【００３４】
また、図７に示すように、収納溝１３ｄの側壁には、突起部１３ｆが形成されている。突起部１３ｆは、加圧バネ２４を収納溝１３ｄに収納したときに、加圧バネ２４との間に所定間隔を形成するための突起である。
【００３５】
本実施形態では、加圧バネ２４と突起部１３ｆとの隙間Ｇが０．０１〜０．０２ｍｍとなるように設定している。隙間Ｇは、少なくとも加圧バネ２４の第１辺部２４ａと突起部１３ｆとの間に形成されていればよい。隙間Ｇがない場合は、ネジ部２２を回転させたときに、ネジ部２２のネジ山と加圧バネ２４との接触抵抗が大きくなるため、光源ユニット１０を移動させることができない。また、隙間Ｇが上記値よりも大きい場合には、ネジ部２２を回転させたときに、加圧バネ２４がネジ部２２の軸方向にずれてしまうため、ネジ部２２の回転力を加圧バネ２４に効率よく伝達することができなくなる。
【００３６】
一方、加圧バネ２４と突起部１３ｆとの隙間Ｇが０．０１〜０．０２ｍｍとなるように設定した場合は、ネジ部２２を回転させたときに、加圧バネ２４とネジ部２２のネジ山との間に僅かな隙間が生じる。これにより、ネジ部２２のネジ山と加圧バネ２４との接触抵抗が小さくなり、光源ユニット１０をスムーズに移動させることができる。また、加圧バネ２４がネジ部２２の軸方向にずれることがないため、光源ユニット１０の位置決めを正確に行うことができる。
【００３７】
次に、本実施形態における加圧バネ２４の作用について説明する。図８（ａ）、（ｂ）は、比較例１における加圧バネ２４Ａとネジ部２２との位置関係を示す模式図である。図９は、比較例２における加圧バネ２４Ｂとネジ部２２との位置関係を示す模式図である。図１０は、本実施形態における加圧バネ２４とネジ部２２との位置関係を示す模式図である。なお、図８及び図９では、本実施形態と同一部分に同一符号を付している。
【００３８】
まず、比較例１について説明する。図８（ａ）に示すように、比較例１の加圧バネ２４Ａは、曲がり部のない棒状に形成されている。また、加圧バネ２４Ａの片側は、ビス２５ａにより反射傘ホルダ１３（不図示）に固定されている。加圧バネ２４Ａの他方の側は、解放されている。
【００３９】
比較例１の構成によれば、ネジ部２２の回転時に、光源ユニット１０に振動等の外乱や、過剰な駆動抵抗等が発生したときに、加圧バネ２４Ａがネジ部２２の上方（矢印Ａ方向）に持ち上がり、加圧バネ２４Ａがネジ部２２の軸方向にずれてしまうことがある。この場合、ネジ部２２の回転量が正しく制御されていても、加圧バネ２４Ａとネジ部２２のネジ山との係合する位置がずれるため、加圧バネ２４Ａと係合する反射傘ホルダ１３（光源ユニット１０）を正確な位置に移動することができなくなる。
【００４０】
また、比較例１において、加圧バネ２４Ａによるネジ部２２への付勢力を大きくすると、加圧バネ２４Ａとネジ部２２との係合部分における摩擦抵抗が増大する。このため、大きな摩擦抵抗の生じているネジ部２２を回転させるために、出力の大きなモータ２１が必要になる。従って、コストの増加と本体部２の大型化が避けられない。
【００４１】
次に、比較例２について説明する。図９に示すように、比較例２の加圧バネ２４Ｂは、曲がりのない棒状に形成されている。また、加圧バネ２４Ｂの両端部は、ビス２５ａ及び２５ｂにより反射傘ホルダ１３（不図示）に固定されている。
【００４２】
比較例２の構成によれば、加圧バネ２４Ｂの両端部がビス２５ａ及び２５ｂにより固定されている。このため、ネジ部２２の回転時に、光源ユニット１０に振動等の外乱や、過剰な駆動抵抗等が発生した場合でも、加圧バネ２４Ｂがネジ部２２の上方に持ち上がり、加圧バネ２４Ｂがネジ部２２の軸方向にずれることがない。従って、ネジ部２２の回転力により、加圧バネ２４Ｂと係合する反射傘ホルダ１３（光源ユニット１０）を正確な位置に移動することができる。
【００４３】
しかし、比較例２の構造では、加圧バネ２４Ｂが弾性変形しない状態でネジ部２２と係合している。この場合、加圧バネ２４Ｂとネジ部２２との係合部分では、加圧バネ２４Ｂの僅かな付勢力の違いで摩擦抵抗が大きく変化する。このため、製造段階において、加圧バネ２４Ｂの付勢力が最適となるように加圧バネ２４Ｂとネジ部２２との間隔を厳密に調整する必要がある。また、振動等により加圧バネ２４Ｂとネジ部２２との間隔がずれることも考えられる。従って、比較例２の構造では、生産性や信頼性が低下する。
【００４４】
次に、本実施形態について説明する。本実施形態の構造では、図１０に示すように、加圧バネ２４の両端部がビス２５ａ及び２５ｂにより固定されている。このため、ネジ部２２の回転時に、光源ユニット１０に振動等の外乱や、過剰な駆動抵抗等が発生しても、加圧バネ２４の第２辺部２４ｂがネジ部２２の上方に持ち上がることがない。従って、加圧バネ２４がネジ部２２の軸方向にずれるのを防ぐことができる。
【００４５】
また、加圧バネ２４は、第１辺部２４ａが図中Ａ方向に弾性変形した状態でネジ部２２と係合している。このため、加圧バネ２４とネジ部２２との間隔を厳密に調整しなくても、ネジ部２２に適正な付勢力を掛けることができる。また、これによれば、加圧バネ２４によるネジ部２２への付勢力を大きくする必要がないので、加圧バネ２４とネジ部２２との係合部分における摩擦抵抗の増加を抑えることができる。
【００４６】
上述した実施形態によれば、以下のような効果を奏する。
（１）加圧バネ２４の両端部が固定されているため、ネジ部２２の回転時に外乱等が発生しても、加圧バネ２４が上方に持ち上がり、ネジ部２２の軸方向にずれることがない。従って、本実施形態の照明装置１によれば、外乱等の発生に影響されることなく、光源ユニット１０の位置決めを正確に行うことができる。
（２）加圧バネ２４の上方への持ち上がりを防止するために、加圧バネ２４によるネジ部２２への付勢力を大きくする必要がない。このため、加圧バネ２４とネジ部２２との係合部分における摩擦抵抗が増大しない。このように、大きな摩擦抵抗の生じているネジ部２２を回転させる必要がないため、モータ２１の出力を大きくしなくてもよい。従って、コストの増加や本体部２の大型化を回避することができる。
（３）加圧バネ２４は、弾性変形した状態でネジ部２２と係合する。このため、加圧バネ２４とネジ部２２との間隔を厳密に調整しなくても、ネジ部２２に適正な付勢力を掛けることができる。これによれば、製造段階において、加圧バネ２４の付勢力が最適となるように加圧バネ２４とネジ部２２との間隔を厳密に調整する必要がないので、生産性の低下を招くことがない。また、振動等により加圧バネ２４とネジ部２２との間隔がずれることもないため、信頼性の低下を招くこともない。
（４）加圧バネ２４は、第１辺部２４ａの中間の位置から第２辺部２４ｂと連結する曲がり部２４ｄの位置までの間においてネジ部２２と係合する。これによれば、加圧バネ２４が弾性変形した状態でネジ部２２と係合するので、ネジ部２２に適正な付勢力を掛けることができる。
（５）反射傘ホルダ１３の収納溝１３ｄには突起部１３ｆが形成されている。加圧バネ２４は、突起部１３ｆとの間に所定間隔が形成されるように収納される。これによれば、ネジ部２２を回転させたときに、加圧バネ２４とネジ部２２のネジ山との間に僅かな隙間が生じるため、ネジ部２２のネジ山と加圧バネ２４との接触抵抗を小さくすることができる。従って、光源ユニット１０をスムーズに移動させることができる。また、加圧バネ２４がネジ部２２の軸方向にずれないため、光源ユニット１０の位置決めを正確に行うことができる。更に、収納溝１３ｄの側壁に突起部１３ｆを設け、この突起部１３ｆにより、加圧バネ２４と収納溝１３ｄの側壁との間の隙間を調整している。これによれば、収納溝１３ｄの溝幅を正確に成形しなくても、突起部１３ｆの高さを切削等することにより、加圧バネ２４との隙間を適切に調整することができる。
（６）加圧バネ２４は、ネジ部２２に形成されたネジ山の斜面２２ａに当接している。このため、ネジ部２２を回転させたときに、加圧バネ２４にガタツキが発生するのを抑えることができる。
（７）光源ユニット１０は、ネジ部２２と略平行に配置されたガイドバー２３ａ，２３ｂに沿って移動自在に係合している。これによれば、ネジ部２２の回転による生じる直線運動の方向と光源ユニット１０の移動方向とが略一致するため、モータ２１で発生した回転力を光源ユニット１０に効率良く伝達することができる。
（変形形態）
【００４７】
以上説明した実施形態に限定されることなく、本発明は以下に示すような種々の変形や変更が可能であり、それらも本発明の範囲内である。
（１）本実施形態では、ガイドバー２３ａ，２３ｂを光源ユニット１０の上方に配置した例を示した。これに限らず、ガイドバー２３ａ，２３ｂは、光源ユニット１０の下方に配置されていてもよい。また、ガイドバーは３本以上であってもよい。
（２）本実施形態では、収納溝１３ｄの側壁に突起部１３ｆを形成した例を示した。しかし、これに限らず、収納溝１３ｄの溝幅を正確に成形することにより、加圧バネ２４と収納溝１３ｄの側壁との間に所定間隔の隙間を形成するようにしてもよい。
（３）本実施形態では、１つの加圧バネ２４をネジ部２２に係合させる例を示した。しかし、これに限らず、複数の加圧バネ２４をネジ部２２に係合させるようにしてもよい。
（４）本発明は、カメラ本体に装着される外付けの照明装置だけでなく、カメラ内蔵の照明装置にも適用することができる。
【００４８】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００４９】
１：照明装置、２：ヘッド部、３：本体部、１０：光源ユニット、１３ｄ：収納溝、２１：モータ、２２：ネジ部、２３ａ，２３ｂ：ガイドバー、２４：加圧バネ、２４ａ：第１辺部、２４ｂ：第２辺部
【図１】
0005527109.tif 000002
【図２】
0005527109.tif 000003
【図３】
0005527109.tif 000004
【図４】
0005527109.tif 000005
【図５】
0005527109.tif 000006
【図６】
0005527109.tif 000007
【図７】
0005527109.tif 000008
【図８】
0005527109.tif 000009
【図９】
0005527109.tif 000010
【図１０】
0005527109.tif 000011